(57)【要約】【課題】カラオケをする人が歌いたい曲を簡単に選曲できるようにすること。【解決手段】顔画像データと歌う候補の曲に関する歌情報とを組にして保管する手段と、  顔を撮影して顔画像データを得る手段と、  受信した顔画像データと組になって保管されている歌情報を読み出す手段と、  読み出した歌情報を表示する手段と、  表示した歌情報が示す曲の中から、歌いたい曲を選曲させる手段と、  選曲された曲を流す手段とを備えるカラオケ装置。【選択図】なし【特許請求の範囲】
【請求項１】
顔画像データと歌う候補の曲に関する歌情報とを組にして保管する手段と、
顔を撮影して顔画像データを得る手段と、
受信した顔画像データと組になって保管されている歌情報を読み出す手段と、
読み出した歌情報を表示する手段と、
表示した歌情報が示す曲の中から、歌いたい曲を選曲させる手段と、
選曲された曲を流す手段とを備えるカラオケ装置。
【請求項２】
カラオケシステムとネットワークを介して接続され、顔画像データと歌う候補の曲に関する歌情報とを組にして保管するデータベースに接続されるサーバであって、
カラオケシステムから顔画像データを受信する手段と、
受信した顔画像データと組になっている歌情報をデータベースから読み出す手段と、
読み出した歌情報をカラオケシステムに送信する手段とを備えるカラオケサーバ。
【請求項３】
カラオケサーバとネットワークを介して接続されるシステムであって、
顔を撮影して顔画像データを得る手段と、
顔画像データをカラオケサーバへ送信する手段と、
歌う候補の曲に関する歌情報をカラオケサーバから受信する手段と、
受信した歌情報を表示する手段と、
表示した歌情報が示す曲の中から、歌いたい曲を選曲させる手段と、
選曲された曲を流す手段とを備えるカラオケシステム。
【請求項４】
顔画像データと歌う候補の曲に関する歌情報とを組にして保管する工程と、
顔を撮影して顔画像データを得る工程と、
受信した顔画像データと組になって保管されている歌情報を読み出す工程と、
読み出した歌情報を表示する工程と、
表示した歌情報が示す曲の中から、歌いたい曲を選曲させる工程と、
選曲された曲を流す工程とを含むカラオケ方法。
【請求項５】
カラオケシステムとネットワークを介して接続され、顔画像データと歌う候補の曲に関する歌情報とを組にして保管するデータベースに接続されるサーバが実行する方法であって、
カラオケシステムから顔画像データを受信する工程と、
受信した顔画像データと組になっている歌情報をデータベースから読み出す工程と、
読み出した歌情報をカラオケシステムに送信する工程とを含むカラオケ方法。
【請求項６】
カラオケサーバとネットワークを介して接続されるシステムが実行する方法であって、
顔を撮影して顔画像データを得る工程と、
顔画像データをカラオケサーバへ送信する工程と、
歌う候補の曲に関する歌情報をカラオケサーバから受信する工程と、
受信した歌情報を表示する工程と、
表示した歌情報が示す曲の中から、歌いたい曲を選曲させる工程と、
選曲された曲を流す工程とを含むカラオケ方法。                                                                                
【発明の詳細な説明】
【技術分野】
【０００１】
本発明はカラオケの技術に関する。
【背景技術】
【０００２】
従来、カラオケでは、カラオケを歌いたい人がリモコンなどの入力装置を用いて、歌いたい曲をカラオケ用冊子やリモコンに表示されるデータを用いて特定して入力していた。そして、通常は入力した順で曲がカラオケ装置のスピーカーから流れてくるので、入力順に歌を歌っていた。
【０００３】
このように曲を入力された順に流すことにより生ずる問題として、以下のようなものがあった。
【０００４】
まず、一緒に歌うメンバの中で、同じ曲が重複入力された場合でも、重複したままで、２度同じ曲を演奏するか、いずれかの入力を取り消すか、ひいては、いずれの入力を優先し、いずれの入力を取り消すかの判断は個人にゆだねられている。例えば職場の上司と部下、営業担当者と接待される顧客などの関係においては、誰かが気を遣ってこの調整をしなければならないが、容易な作業ではない。
【０００５】
さらに、顧客や上司の十八番の持ち歌を、顧客や上司が入力する前に、営業担当者や若手の社員がそれを知らずに先に入力して歌ってしまうということが避けられず、その場の人間関係に応じた最適な選曲と歌い手の振り分けをすることはできない。
【０００６】
一方、一緒に歌うメンバが、例えば同じ会社の事業部長、部長クラスのベテラン、課長、リーダークラスの中堅、入社３年以内の若手社員から構成されている場合、なるべくお互いの年代が知っている曲を歌うようにすれば、年代を超えた交流を図ることができて望ましいが、このような状態を実現するために各自の持ち歌の中から最適な曲を選択することは個人の判断にゆだねられており、何人も容易に実現できるものではない。
【０００７】
また、持ち歌を演奏する順番を、例えば、最初に場を盛り上げるためのアップテンポな曲、じっくり聞かせるスローな曲、最後を締めくくる皆で歌える曲など、その場に応じて最適な曲を各個人が選択するのは容易でない。
【０００８】
このような問題を解決するものとして、カラオケの歌う曲を選択する際、予め登録された持ち歌のリストより、予め定められたメンバ間の優先順位に基づき、重複することなく選曲できるシステムが知られている（特許文献１参照）。
【特許文献１】特開平２００６−１０９８８号公報
【発明の開示】
【発明が解決しようとする課題】
【０００９】
しかしながら特許文献１のシステムは上記問題を解決することはできても、カラオケで一番問題となる歌いたい曲を探すという選曲については何ら解決することはできなかった。確かに、カラオケを歌いたい人が自分で曲に優先順位を付けて入力すれば、曲を選曲せずにあたかもこの課題を解決したようにしているが、これは曲を、カラオケを歌いたい人（メンバ内で順位付けがされている）が自分で入力設定しなくてはならず、操作が煩雑であり、カラオケを歌いたい人が誰でもできるような曲を入力する方法ではなかった。
【００１０】
さらに、このシステムはカラオケを歌いたい人が複数いるグループに対応するものであり、グループでない人には何ら恩恵を得ることができないものである。
【００１１】
そこで本発明は、カラオケをする人が歌いたい曲を簡単に選曲できるようにすることを課題とする。
【課題を解決するための手段】
【００１２】
本発明において上記課題を解決するために、まず請求項１の発明では、
顔画像データと歌う候補の曲に関する歌情報とを組にして保管する手段と、
顔を撮影して顔画像データを得る手段と、
受信した顔画像データと組になって保管されている歌情報を読み出す手段と、
読み出した歌情報を表示する手段と、
表示した歌情報が示す曲の中から、歌いたい曲を選曲させる手段と、
選曲された曲を流す手段とを備えるカラオケ装置としたものである。
【００１３】
また請求項２の発明では、
カラオケシステムとネットワークを介して接続され、顔画像データと歌う候補の曲に関する歌情報とを組にして保管するデータベースに接続されるサーバであって、
カラオケシステムから顔画像データを受信する手段と、
受信した顔画像データと組になっている歌情報をデータベースから読み出す手段と、
読み出した歌情報をカラオケシステムに送信する手段とを備えるカラオケサーバとしたものである。
【００１４】
また請求項３の発明では、
カラオケサーバとネットワークを介して接続されるシステムであって、
顔を撮影して顔画像データを得る手段と、
顔画像データをカラオケサーバへ送信する手段と、
歌う候補の曲に関する歌情報をカラオケサーバから受信する手段と、
受信した歌情報を表示する手段と、
表示した歌情報が示す曲の中から、歌いたい曲を選曲させる手段と、
選曲された曲を流す手段とを備えるカラオケシステムとしたものである。
【００１５】
また請求項４の発明では、
顔画像データと歌う候補の曲に関する歌情報とを組にして保管する工程と、
顔を撮影して顔画像データを得る工程と、
受信した顔画像データと組になって保管されている歌情報を読み出す工程と、
読み出した歌情報を表示する工程と、
表示した歌情報が示す曲の中から、歌いたい曲を選曲させる工程と、
選曲された曲を流す工程とを含むカラオケ方法としたものである。
【００１６】
また請求項５の発明では、
カラオケシステムとネットワークを介して接続され、顔画像データと歌う候補の曲に関する歌情報とを組にして保管するデータベースに接続されるサーバが実行する方法であって、
カラオケシステムから顔画像データを受信する工程と、
受信した顔画像データと組になっている歌情報をデータベースから読み出す工程と、
読み出した歌情報をカラオケシステムに送信する工程とを含むカラオケ方法としたものである。
【００１７】
また請求項６の発明では、
カラオケサーバとネットワークを介して接続されるシステムが実行する方法であって、
顔を撮影して顔画像データを得る工程と、
顔画像データをカラオケサーバへ送信する工程と、
歌う候補の曲に関する歌情報をカラオケサーバから受信する工程と、
受信した歌情報を表示する工程と、
表示した歌情報が示す曲の中から、歌いたい曲を選曲させる工程と、
選曲された曲を流す工程とを含むカラオケ方法としたものである。
【発明の効果】
【００１８】
請求項１、４の発明は、カラオケをする人が顔を撮影すると、この人の歌う候補の曲に関する情報が表示され、その中から歌いたい曲を選曲できる。
【００１９】
請求項２、５の発明は、それぞれ請求項３、６の発明に対して、カラオケをする人の歌う候補の曲に関する情報を提供できる。
【００２０】
請求項３、６の発明は、カラオケをする人が顔を撮影すると、この人の歌う候補の曲に関する情報が、それぞれ請求項２、５の発明から提供されて表示され、その中から歌いたい曲を選曲できる。
【００２１】
従って、本発明は、カラオケをする人が歌いたい曲を簡単に選曲できるという効果がある。
【発明を実施するための最良の形態】
【００２２】
以下に、本発明の最良の一実施形態を説明する。
【００２３】
本実施形態に係るシステムは、図１に示すように、カラオケシステムと、カラオケサーバと、データベースとを備え、カラオケシステムとカラオケサーバとはネットワークに接続され、カラオケサーバはデータベースに接続されるものである。
【００２４】
図１中にはカラオケシステムが一つしか描かれていないが、これは簡便のためであって、複数のカラオケシステムがネットワークに接続されても良い。
【００２５】
ネットワークは、インターネットであっても良い。
【００２６】
本実施形態に係るシステムを、一つのカラオケ装置と見なしても良い。さらに、ネットワークは、カラオケ装置内の通信回線であっても良い。
【００２７】
カラオケシステムは、カメラ（Ａ１）、ディスプレイ（Ａ２）、スピーカ（Ａ３）、制御装置（Ａ４）、送受信装置（Ａ５）などを備える。制御装置（Ａ４）は、カラオケシステムを制御するものである。
【００２８】
カラオケサーバは、送受信装置（Ｂ１）、選曲システム（Ｂ２）、状況確認システム（Ｂ３）などを備える。また、選曲システム（Ｂ２）は、画像分析デバイス（Ｂ２ａ）と、画像対比デバイス（Ｂ２ｂ）とを有する。
【００２９】
データベースは、個人データを保管する個人データベース（Ｃ１）を含む。個人データは、カラオケを歌いたい人個々人に関するデータであって、例えば、個人ＩＤ、顔画像データ、歌情報などを含み、これらが組になったものである。個人ＩＤは、カラオケを歌いたい人個々人を唯一に識別するＩＤである。顔画像データは、カラオケを歌いたい人の顔の画像データである。歌情報は、カラオケを歌いたい人が、カラオケシステムを利用して歌う候補の曲に関する情報である。この候補の曲は、例えば、カラオケを歌いたい人が自分で選択した曲や、この人が過去にカラオケシステムにて利用した曲であっても良い。歌情報は、カラオケを歌いたい人が、カラオケシステムにて条件を設定すれば、容易に設定、変更できるものであり、どのようにも設定することができる。歌情報は、例えば、曲ＩＤ、曲名、歌手、選曲順位などを含み、これらが組になったものである。曲ＩＤ、曲名、歌手は、それぞれ、カラオケを歌いたい人がカラオケシステムを利用して歌う候補の曲を唯一に識別するＩＤ、その曲の名前、その曲を歌っている歌手の名前である。選曲順位は、カラオケを歌いたい人がカラオケシステムを利用して歌う候補の曲が、このカラオケを歌いたい人によって選択される可能性の高低を表すと設定された順位であって、例えば、歌った回数が多いほど上位となる順位であっても良いし、最後に歌った時が現在に近いほど上位となる順位であっても良い。
【００３０】
以下に、本実施形態に係るシステムにて、カラオケを歌いたい人が選曲する際に行われる処理の流れを図２のフローチャートに従って説明する。
【００３１】
Ｓ（ＳＴＥＰ）１：
カラオケシステムは、カラオケを歌いたい人の顔をカメラ（Ａ１）で撮影して、その顔を表す画像データを得る。
【００３２】
Ｓ（ＳＴＥＰ）２：
カラオケシステムは、カラオケを歌いたい人の顔の画像データを、送受信装置（Ａ５）で、ネットワークを介してカラオケサーバに送信する。
【００３３】
Ｓ（ＳＴＥＰ）３：
カラオケサーバは、ネットワークを介して送られてきた顔の画像データを、送受信装置（Ｂ１）で受信して、選曲システム（Ｂ２）に受け渡す。
【００３４】
Ｓ（ＳＴＥＰ）４：
カラオケサーバの選曲システム（Ｂ２）は、送られて来た顔の画像データを画像分析デバイス（Ｂ２ａ）により分析する。
【００３５】
Ｓ（ＳＴＥＰ）５：
カラオケサーバの選曲システム（Ｂ２）は、分析した顔の画像データが個人データベース（Ｃ１）に保管されているかの確認を行い、
保管されていない場合、ＳＴＥＰ６に進み、
保管されていた場合、ＳＴＥＰ９に進む。
【００３６】
Ｓ（ＳＴＥＰ）６：
カラオケサーバの選曲システム（Ｂ２）は、送受信装置（Ｂ１）からネットワークを介してカラオケシステムに顔の画像データが登録されていないことを送信し、カラオケシステムにて、カラオケを歌いたい人に自分の顔の画像データを登録するかを確認し、
登録を希望する場合、ＳＴＥＰ７に進み、
登録を希望しない場合、ＥＮＤに進む。
【００３７】
Ｓ（ＳＴＥＰ）７：
カラオケサーバの選曲システム（Ｂ２）は、カラオケシステムにて、カラオケを歌いたい人に、歌情報を設定させる。
【００３８】
Ｓ（ＳＴＥＰ）８：
カラオケサーバの選曲システム（Ｂ２）は、個人ＩＤを発行し、発行した個人ＩＤと、
カラオケを歌いたい人の顔の画像データと、このカラオケを歌いたい人が設定した歌情報とを、個人データベース（Ｃ１）に登録する。
【００３９】
Ｓ（ＳＴＥＰ）９：
カラオケサーバの選曲システム（Ｂ２）は、分析した顔の画像データと組になって個人データベース（Ｃ１）に保管されている歌情報を読み出し、この歌情報を送受信装置（Ｂ１）を用いてカラオケシステムへネットワークを介して送信する。この際、それぞれの歌情報を、それぞれの歌情報に含まれる選曲順位の順に読み出して送信しても良い。
【００４０】
Ｓ（ＳＴＥＰ）１０：
カラオケシステムは、カラオケサーバから送信された歌情報を送受信装置（Ａ５）により受信し、制御装置（Ａ５）によりディスプレイ（Ａ２）に表示する。この際、それぞれの歌情報を、それぞれの歌情報に含まれる選曲順位の順に並べて表示しても良い。
【００４１】
Ｓ（ＳＴＥＰ）１１：
カラオケシステムにて、カラオケを歌いたい人は、ディスプレイ（Ａ２）に表示された歌情報で示される曲の中から、歌いたい曲を選択する。
【００４２】
Ｓ（ＳＴＥＰ）１２：
カラオケシステムは、カラオケを歌いたい人が選択した曲に従って、ディスプレイ（Ａ２）に、その曲の歌詞や、その曲に係る動画などの画像を表示し、その曲をスピーカ（Ａ３）から流す。
【００４３】
このカラオケ用の画像や曲のデータは、例えば、カラオケシステムに記憶されていても良いし、或いは、例えば、データベースに保管させておき、曲が選択されたら、ネットワークを介してカラオケサーバによりデータベースから抽出され、カラオケシステムに送るようにしても良く、記憶する場所は問わない。
【００４４】
ところで、カラオケを歌いたい人が設定する歌情報だけでは単調になることがある。これを防ぐために、以下のようにする。
【００４５】
まず、データベースに話題の曲（最新ヒットチャート等）の情報、季節ごとの曲（３月なら卒業特集、１０月なら秋の失恋特集等）の情報を保管する。
【００４６】
その上で、カラオケサーバの状況確認システム（８）は、話題の曲の情報、季節ごとの曲の情報を、データベースから読み出して、カラオケシステムに送信し、カラオケシステムにて、カラオケを歌いたい人に、これらの曲の中から選曲してもらう。
【００４７】
そして、カラオケシステムは、カラオケを歌いたい人が選択した曲に従って、ディスプレイ（Ａ２）に、その曲の歌詞や、その曲に係る動画などの画像を表示し、その曲をスピーカ（Ａ３）から流す。
【００４８】
さらに、カラオケサーバの状況確認システム（８）は、カラオケを歌いたい人よって選曲された曲に関する情報を、歌情報として、個人データベース（Ｃ１）に登録しても良い。
【００４９】
このようにして、臨機応変に様々な曲の選曲を提供することができる。
【図面の簡単な説明】
【００５０】
【図１】本発明の最良の一実施形態に係るシステムの構成を示す図。
【図２】本発明の最良の一実施形態に係るシステムにて、カラオケを歌いたい人が選曲する際に行われる処理の流れを示すフローチャート。
【図１】
2008304687.tif 000002
【図２】
2008304687.tif 000003